(57)【特許請求の範囲】
【請求項１】
樹脂製桝の上部に接続される樹脂製立ち上がり管と、該立ち上がり管に遊嵌された台座と、該台座に載置された蓋枠と、該蓋枠に載置された雨水をオーバーフローすることなく集めて前記立ち上がり管内へ流下させる通水孔を有する蓋とからなり、
前記蓋の下部に、前記通水孔に沿ってまたはその間に補強用リブ構造が一体に設けられ、該補強用リブ構造の一部は前記通水孔の縁に設けられ、かつ前記蓋の中心方向に傾けられた壁状構造を有する雨水受けリブであり、該雨水受けリブの先端部の鉛直方向の位置は、前記立ち上がり管の壁の内側より内方位置であることを特徴とする雨水集水口。
【請求項２】
前記台座は、該台座の内径を前記立ち上がり管の外径と一致させる構造を有することを特徴とする請求項１に記載の雨水集水口。
【請求項３】
上部に雨水をオーバーフローすることなく集めて立ち上がり管内へ流下させる通水孔を有し、下部に、前記通水孔に沿ってまたはその間に補強用リブ構造が一体に設けられた雨水集水口の蓋であって、前記補強用リブ構造の一部は前記通水孔の縁に設けられ、かつ前記蓋の中心方向に傾けられた壁状構造を有する雨水受けリブであり、該雨水受けリブの先端部の鉛直方向の位置は、前記立ち上がり管の壁の内側より内方位置であることを特徴とする雨水集水口の蓋。
【請求項４】
前記通水孔を取り囲むように浅いくぼみが形成され、該くぼみに溜まった雨水を通水孔へ導くための複数の切欠溝が設けられていることを特徴とする請求項３記載の雨水集水口の蓋。
【発明の詳細な説明】
【０００１】
【発明の属する技術分野】
本発明は雨水集水口に関する。
【０００２】
【従来の技術】
集合住宅の駐車場等には降った雨水を集めて地下の雨水溝へ導くため地表に雨水集水口が設けられているが、かかる雨水集水口の上には４〜８トンのトラックが乗る可能性があることから、従来コンクリート製の桝とその上に鋳鉄製の格子蓋を載せるという構造が採用されていた。しかしながら、コンクリート製の桝は重く、運搬や施工の際の作業効率が悪いという問題があった。
一方、一般に雨水集水口は、集められた雨水をオーバーフローさせることなく効率的に集める機能が要求される。このため前記雨水集水口には適当な面積（例えばＨＡＳＳ規格では少なくとも該蓋の面積の３０％以上）の通水孔（または雨水孔）が設けられている。さらに、路面等で使用されることから、前記装置上に車輌荷重等の大きな路面荷重にも耐える構造が要求される。
【０００３】
【発明が解決しようとする課題】
そこで本発明は、軽くて取り扱いの容易な樹脂製の桝と立ち上がり管を使用し、かつ十分な耐荷重性をも兼ね備えた雨水集水口を提供することを目的とする。さらには、本発明は雨水集水口の表面に集められたすべての雨水を余分な雨水受け部材等を要しないで、かつ十分な孔面積を有する通水孔を有する蓋から流下する雨水をすべて立ち上がり管内に流下させることのできる特定の蓋の構造を有する雨水集水口を提供することを目的とする。
【０００４】
【課題を解決するための手段】
本発明にかかる雨水集水口は、樹脂製桝の上部に樹脂製立ち上がり管を接続し、前記立ち上がり管に台座を遊嵌しかつ前記台座に通水孔を有する蓋を載置した蓋枠を載置する構造を有する。
また、本発明にかかる雨水集水口は、前記蓋の下部に、前記通水孔を通じて流下する雨水を受けて前記立ち上がり管内に流下させるように形成された雨水受けリブを有することを特徴とするものである。すなわち、通水孔を有する蓋の下部に、特定の形状の雨水導水路（以下、「雨水受けリブ」とする）を設け、該通水孔を流下する雨水をすべて立ち上がり管内に導くことができるものである。
さらに、本発明にかかる雨水集水口は、前記立ち上がり管の軸芯と前記台座の軸芯とがほぼ一致するような構造を有することを特徴とするものである。
以下、本発明を実施の形態に即して詳細に説明する。
【０００５】
【発明の実施の形態】
図１に本発明の雨水集水口の構造およびその使用の態様を示した。すなわち、地中に埋設された樹脂製桝６の上部に接続された樹脂製の立ち上がり管１と、前記立ち上がり管１に遊嵌された台座２、さらに前記台座２に載置された蓋枠３と前記蓋枠３に設置された蓋４からなる。従って、蓋４上にかかる車両等の荷重は蓋枠３を介して台座２へと伝えられ、立ち上がり管には荷重がかからないこととなる。ここで台座２は耐荷重性、操作性、コスト等から樹脂製、コンクリート製、または鋳鉄製であることが好ましく、同様に蓋枠３と蓋４は鋳鉄製であることが好ましい。また、立ち上がり管１の樹脂材料には制限はないが、加工性、耐水性、操作性、コスト等から塩化ビニルやポリプロピレンが好ましく使用できる。
【０００６】
図２に示すように、本発明にかかる蓋４には、該蓋上に集まる雨水をオーバーフローすることなく立ち上がり管１へ導くための十分な面積を有する通水孔（または雨水孔）４１が設けられている。かかる通水孔の該蓋表面積に占める割合、通水孔の形状、数については特に制限はないが、同時に耐荷重性および装飾性をも考慮する必要がある。通水孔の該蓋表面積に占める割合は、通常雨水をオーバーフローさせることなく効果的に集めて流下させる目的では表面積の約３０％以上が好ましい。しかしながら、あまりに広い面積の通水孔を設けると蓋の荷重に対する強度が低下することとなる。そこで、十分広い面積の通水孔を確保しかつ同時に必要な耐荷重性をも備えるために、通水孔の形状を考慮することと、該蓋の上面および／または下面に種々の形状の補強構造を設けることが好ましい。
【０００７】
本発明にかかる蓋に設けられる通水孔の形状には制限はなく、装飾性をも考慮して、多角形状、円または楕円状、またはそれらの組み合わせ等が可能である。また通水孔の数、配置についても制限はなく、該蓋の耐荷重性とともに装飾性をも考慮して選択することができる。特に円形蓋の場合には、該蓋にかかる荷重により中心付近には上下方向（および半径方向）に大きな歪が生じ得ることから、中心付近から円周方向へ放射状に通水孔とともに蓋部材により補強構造（例えばビーム構造やリブ構造）が形成されるように配置することが好ましい。
【０００８】
前記補強構造の選択にも特に制限はなく、通常公知の構造を採用することが可能である。具体的に図１等には、蓋４の下部（裏側）に、通水孔４１の縁に沿って、またはその間に設けられた格子状や円周状のリブ構造４２が示されている。かかるリブ構造により、通水孔４１の周りに比較して肉厚壁状の形状が形成され、耐荷重性が改善される。
【０００９】
さらに、上で説明したように該通水孔の位置が立ち上がり管の内側に位置する場合には雨水はすべて立ち上がり管内に流下するが、立ち上がり管よりも外側に位置する雨水孔から流下する雨水は、立ち上がり管１と台座２の間の隙間に流下してしまう。かかる場合に雨水孔からのすべての雨水を立ち上がり管に流下させるために、本発明においては図３に示されるような構造を有する蓋４を使用することが好ましい。すなわち、通水孔４１に沿って設けられた補強用のリブ構造４２の少なくとも一部を、特定構造を有する雨水受けリブ４３とすることで、通水孔４１から流下する雨水が、立ち上がり管１と台座２の間のすきま５に流下することなく蓋４の下に位置する立ち上がり管１内に直接流下するようにしたものである。すなわち、通水孔４１から流れ込んだ雨水は、該通水孔の縁付近に設けられ、かつ該蓋の中心方向へ傾けられた壁状構造の雨水受けリブ４３で受け取られ、該雨水受けリブ４３の壁表面４３１に沿って流下して該雨水受けリブ４３の先端部４３２へ到達する。かかる雨水受けリブの先端部４３２は、立ち上がり管の壁の内側１１に対応する位置（好ましくは立ち上がり管の壁の内側より更に内側）となるようにされているため、該先端部４３２からの雨水はすべて立ち上がり管１内に流下することとなる。
【００１０】
かかる雨水受けリブ４３の基本構造である、該リブ壁の蓋４の中心方向への傾きと、該壁の高さ（またはリブ壁表面４３１の長さ）、該リブの形状は、立ち上がり管の内径、立ち上がり管１から蓋４までの高さ、蓋４の通水孔４１の位置、およびその形状に基づき、かつ装飾性をも考慮して計算し、最適化することは当業者にとって容易である。具体的には、最も蓋４の中心より離れた位置にある通水孔の位置において流入する雨水がすべて立ち上がり管へ流下するように雨水受けリブの形状を設計することが可能である。なお、立ち上がり管の内径の上方向に位置する通水孔であっても、雨水量が多く流下する際に飛び散る可能性がある場合には、かかる位置にある通水孔に対しても本発明の特定構造を有する雨水受けリブを設けることが好ましい。
【００１１】
通水孔４１が円形蓋４の円周に沿って長方形状（長円形状も含む）に設けられている場合には、その通水孔４１の外側に沿って円周状に長方形状の壁として雨水受けリブ４３を構成することが可能である。この場合、通水孔からの雨水をすべて受けるために蓋４の全ての円周に沿って雨水受けリブ４３を設けることが好ましい。また、蓋４に開閉器具用の穴等が設けられ、蓋４の全周に雨水受けリブ４３を設けることが困難な場合、通水孔４１の近傍にのみ設けることも可能である。この場合、雨水が雨水受けリブ４３の先端部４３２から流れ出さないように適当な高さの壁（図示せず）を設けることが好ましい。
【００１２】
また、雨水受けリブ４３の先端部４３２の形状については特に制限はなく、該先端部４３２に達した雨水がその周りに飛び散ることなくスムーズに直下に位置する立ち上がり管内へ流下するような形状であることが好ましく、例えば刃形状やのこぎり刃状等にして雨水の落下を導くことが好ましい。更に雨水受けリブ４３を鋳鉄で製造した場合、車両等に対して十分な耐荷重性を持たせることができる。
【００１３】
本発明にかかる蓋の表面部のその他の構造、形状（模様）については特に制限はなく、図２に示されるように該表面部が通水孔のみの平面形状であってもよい。また、該表面部に蓋４を開閉するための器具用の穴や鍵穴（防水型を含む）、また開閉のための蝶番、さらには規格、製造者等の情報が模様として設けられていてもよい。
【００１４】
図４および５には、本発明にかかるより好ましい雨水集水口の他の具体例を示した。ここで蓋４の外径は約４５０ｍｍである。該蓋４の円周中心から外側の部分には、該蓋の円周に沿って長円形状を基本とした複数の通水孔４１が３列円周状に設けられている。また、該蓋の円周中心付近には、放射状に変形長円状の通水孔４１が複数個設けられている。かかる通水孔の構造によると全通水孔の面積は蓋の全表面積の約３０％となり、十分な表面積を確保できる。
【００１５】
蓋４の表面には、通水孔４１を取り囲むように円周状、または円状の浅いくぼみ４４が形成され、くぼみ部分は他の表面部分より低くなっている（具体的には数ｍｍ程度）。さらに蓋４の表面には前記くぼみ４４に均一に溜まった雨水を通水孔４１へ導くために複数の切欠溝４７が設けられている。かかる切欠溝４７により、くぼみ４４に溜まった雨水は切欠溝４７を通じて通水孔４１へスムーズに流れ込むことが可能となる。なお、かかるくぼみ４４、切欠溝４７の形状は蓋の耐荷重性を向上する目的をも満たすように設計することは容易である。
【００１６】
蓋４の下部には、補強用リブ４２が円周状および放射状に設けられている。最も外側の通水孔を取り巻くように雨水受けリブ４３が壁状で設けられている。かかる雨水受けリブ４３により、最も外側の通水孔から流入した雨水は、該雨水受けリブ４３の壁に受け取られて該雨水受けリブの先端部４３２から立ち上がり管１内へスムーズに流下する。また、雨水集水口の外端には開閉器具用の穴４５と、その反対側の蓋の裏側には開閉用蝶番４６が設けられているため、雨水受けリブ４３の壁はそれらの部分までは延びていないが、これらの部分には通水孔が設けられていないことから、雨水が立ちあがり管１に流下することはない。さらに通水孔の間の表面上には必要な記号等が刻まれ、装飾性と耐荷重性を持たせるようにされている。
【００１７】
なお、本発明の雨水集水口の雨水受けリブは蓋と一体に成形されてもよいし、蓋側とその下方に２つに分けて製造し、該蓋と雨水受けリブを接合して形成してもよい。
【００１８】
また、立ち上がり管の軸芯と台座の軸芯とは一致することが好ましいが、実際の施工の際には必ずしも厳密に一致しない場合があり得る。あまりに軸芯のずれが大きくなると雨水受けリブの効果が十分得られないこととなる。かかる場合には、図６に示すように、台座の内径が立ち上がり管の外径にほぼ一致する構造を採用することで軸芯のずれを防止し、確実に雨水を立ち上がり管内に流下させることができる。立ち上がり管と台座のすきまは、上方から見て立ち上がり管の上端口の円内に、設置された雨水受けリブの先端部が全て収まる範囲内であることが好ましい。
【００１９】
【発明の効果】
本発明に係る雨水集水口は、桝およびその上部に接続される立ち上がり管とが樹脂製であることから、軽くて取り扱いが容易となる。また本発明に係る雨水集水口は、前記立ち上がり管に台座が遊嵌され、その台座に蓋枠を載置し、さらに蓋枠に通水孔を有する蓋が載置された構造を有することから十分な耐荷重性を備えるものである。また、本発明に係る雨水集水口の蓋には十分な面積を有する通水孔が開けられ、さらには特定の形状に形成された雨水受けリブを有することから、該蓋上の雨水をオーバーフローすることなく該通水孔を通じてすべて立ち上がり管内に流下させることができる。また本発明に係る雨水集水口の台座は、当該台座の軸芯を立ち上がり管の軸芯とほぼ一致させる構造を有することことから、該蓋上の雨水を通水孔を通じてすべて立ち上がり管内に流下させることができる。
【図面の簡単な説明】
【図１】本発明にかかる雨水集水口の断面図である。
【図２】本発明にかかる雨水集水口の平面図である。
【図３】本発明にかかる雨水集水口の他の実施例の断面図である。
【図４】本発明にかかる雨水集水口の他の実施例の断面図である。
【図５】本発明にかかる雨水集水口の平面図である。
【図６】本発明にかかる雨水集水口の他の実施例の断面図である。
【符号の説明】
１…立ち上がり管、２…台座、３…蓋枠、４…蓋、５…すきま、６…桝、１１…立ち上がり管壁の内側、４１…通水孔、４２…リブ構造、４３…雨水受けリブ、４４…くぼみ、４５…開閉器具用の穴、４６…開閉用蝶番、４７…切欠溝、４３１…リブの壁表面、４３２…リブの先端部。
【図１】
0003575744.tif 000002
【図２】
0003575744.tif 000003
【図３】
0003575744.tif 000004
【図４】
0003575744.tif 000005
【図５】
0003575744.tif 000006
【図６】
0003575744.tif 000007